(57)【要約】【課題】  棺桶の底に掛けて支持する為の出棺バンドであって、葬儀が終わって出棺する場合に、４人ないし６人の力のバランスが崩れることなく安定して持ち運び出来る出棺バンドの提供。【解決手段】  中央には中央金具８を設けると共に、両側には棺桶１のコーナー部に当接するＬ型金具７ａ，７ｂを配置し、両Ｌ型金具７ａ，７ｂに２本のバンド９ａ，９ａ及び９ｂ，９ｂを連結して中央金具８に設けたスリット溝１０ａ，１０ｂを挿通すると共に折り返し、上記Ｌ型金具７ａ，７ｂに形成したスリット溝１１ａ，１１ｂを挿通して外方向へ延ばし、互いに連結して持ち手部６ａ，６ｂとしている。【選択図】    図３ 
2005102907.tif 000002
【特許請求の範囲】
【請求項１】
棺桶の底に掛けて支持する為の出棺バンドにおいて、中央には中央金具を設けると共に、両側には棺桶のコーナー部に当接するＬ型金具を配置し、両Ｌ型金具にバンドを連結して中央金具に係止すると共に折り返し、上記Ｌ型金具より外方向へ延ばして持ち手部としたことを特徴とする出棺バンド。
【請求項２】
棺桶の底に掛けて支持する為の出棺バンドにおいて、中央には中央金具を設けると共に、両側には棺桶のコーナー部に当接するＬ型金具を配置し、両Ｌ型金具にバンドを連結して中央金具に設けたスリット溝を挿通すると共に折り返し、上記Ｌ型金具に形成したスリット溝を挿通して外方向へ延ばして持ち手部としたことを特徴とする出棺バンド。
【請求項３】
上記Ｌ型金具の当接面に小さな突片を設けた請求項１、又は請求項２記載の出棺バンド。
【請求項４】
上記Ｌ型金具に連結するバンドを２本１組として中央金具に係止すると共に折り返し、Ｌ型金具より外方向へ延ばしたところで互いに連結して持ち手部とした請求項１、請求項２、又は請求項３記載の出棺バンド。
【発明の詳細な説明】
【技術分野】
【０００１】
本発明は葬儀が終了して出棺する際に、棺桶を安定して持ち運びするために使用する出棺バンドに関するものである。
【背景技術】
【０００２】
亡くなった仏は棺桶に収容されて、定められている様式にのって厳粛な葬儀が行われる。そして、葬儀が終了すれば棺桶は葬儀式場から出棺されて霊柩車に乗せられ火葬場へ運搬されるが、この場合、棺桶は近い親族によって葬儀式場から霊柩車まで運ばれる。棺桶には特別な持ち手はなく、底面と側面のコーナーに手を当てて４人ないし６人で持ち運ばれる。
【０００３】
近年においては、日本人の体型も大きくて重くなり、亡くなった仏を収容する棺桶のサイズは大きく成っているが、運び出す人数は一定であり、出棺時の持ち運びは容易でない。４人ないし６人で分担しているために１人当りの重量はそれ程重い訳ではないが、厳粛な葬儀を終えての出棺作業であることから、緊張すると共に、棺桶に持ち手が無いことで、持ち運び難いといった問題がある。
【０００４】
何らかの拍子で４人ないし６人のバランスが崩れるならば、棺桶を落下する事態を招き、その結果、棺桶が破損したり、収容されている仏が棺桶からはみ出してしまうならば、厳粛に行った葬儀が台なしになってしまう。
【発明の開示】
【発明が解決しようとする課題】
【０００５】
このように、葬儀が終わって出棺する場合、仏を収容した棺桶が重いと共に持ち難いことで、上記のごとき問題がある。本発明が解決しようとする課題はこの問題点であり、出棺に際して使用する出棺バンドを提供する。
【課題を解決するための手段】
【０００６】
本発明の出棺バンドはバンドを介して棺桶を持ち運びすることが出来るようにしたものである。そこで、棺桶の底面にバンドを掛け、両側へ延びるバンドを持ち手部として対向する２人が夫々の持ち手を握って支える。４人で棺桶を運ぶ場合には、棺桶の前後２箇所に出棺バンドを掛けて、夫々４箇所の持ち手部を握ることが出来る。
【０００７】
ところで、バンドは棺桶のサイズに応じてその長さは調整することが出来るようになっており、又棺桶の底面にバンドを掛けるだけでは安定しないことから、又棺桶のコーナー部に局部的な応力が作用しないようにＬ型金具が備わっている。すなわち、該コーナー部にＬ型金具が当接することで棺桶を安定して支持することが出来る。又、滑らないように、該Ｌ型金具の当り面に小さな突片を設けることも可能である。
【発明の効果】
【０００８】
本発明の出棺バンドは棺桶の底に掛けられ、両側へ延びる持ち手を握って支持することが出来る。従って、棺桶のコーナーに手を当てて運ぶ場合に比較して安定し、４人ないし６人で運ぶ場合にも力のバランスが崩れることはなく、出棺時に棺桶が転倒するといった事態は発生しない。
【０００９】
そして、該出棺バンドには両側にＬ型金具が取付けら、該Ｌ型金具は棺桶のコーナー部に当接して該棺桶を安定して支持することが出来る。この場合、Ｌ型金具は持ち手部を握って棺桶を支持することで両Ｌ型金具間距離が縮小するようにバンドで引っ張られるために、棺桶には所定の押圧力が作用して当接する。又、Ｌ型金具がコーナー部に当接することで局部的応力の発生は無く、棺桶を損傷することはない。
【実施例】
【００１０】
図１は棺桶の前後底面に出棺バンドを掛けた場合であって、同図の１は棺桶、２は出棺バンドを表している。棺桶１は直方体の容器本体３と蓋４から成って、容器本体３の内部には仏が収容され、該容器本体３の上には蓋４が取付けられている。該棺桶１の形態は一般的に概略直方体を成しているが、個々の具体的な構造は限定しない。
【００１１】
図２に示すように、棺桶１の底には出棺バンド２，２が配置され、両側には持ち手部６，６を延ばしている。そして、該出棺バンド２にはＬ型金具７，７が取り付けられて、該Ｌ型金具７，７は棺桶１のコーナー部に当接することが出来る。すなわち、Ｌ型金具７，７・・を介して棺桶１を支持することが出来、該棺桶１は安定して支持される。
【００１２】
そして、棺桶１の両側へ延びた持ち手部６，６・・を握って該棺桶１を持ち運ぶことが出来る。棺桶１を間にして二人が持ち手部６，６を握ることで出棺バンド２は張設されて、しかもＬ型金具７，７は該棺桶１のコーナー部を押圧するように作用する。
【００１３】
図３は出棺バンド２を単独で示している。中央には中央金具８を有し、該中央金具８の両側にはＬ型金具７ａ，７ｂを設け、これら中央金具８及びＬ型金具７ａ，７ｂはバンド９ａ，９ｂによって連結されている。２本のバンド９ａ、９ａはその先端がＬ型金具７ａに連結し、中央金具８に設けているスリット溝１０ａを挿通して折り返され、Ｌ型金具７ａの方向へ延びている。
【００１４】
そして、２本のバンド９ａ，９ａはＬ型金具７ａのスリット溝１１ａを挿通して、該Ｌ型金具７ａより外方向へ延び、両バンド９ａ，９ａは互いに連結している。実際には１本のバンド９ａが使用されているが、ここでＬ型金具７ａより外方向へ延びた部分は持ち手部６ａとなる。
【００１５】
同じように、バンド９ｂ、９ｂはその先端がＬ型金具７ｂに連結し、中央金具８に設けているスリット溝１０ｂを挿通して折り返され、Ｌ型金具７ｂの方向へ延びている。  そして、２本のバンド９ｂ，９ｂはＬ型金具７ｂのスリット溝１１ｂを挿通して、該Ｌ型金具７ｂより外方向へ延び、両バンド９ｂ，９ｂは互いに連結している。ここでＬ型金具７ｂより外方向へ延びた部分は持ち手部６ｂとなる。
【００１６】
Ｌ型金具７ａ，７ｂに先端を連結した上記バンド９ａ，９ａ，９ｂ，９ｂは中央金具８のスリット溝１０ａ，１０ｂを挿通して折り返され、再びＬ型金具７ａ，７ｂに設けているスリット溝１１ａ，１１ｂを挿通すると共に該Ｌ型金具７ａ，７ｂの下側を通って外方向へ延びている。そこで、持ち手部６ａ，６ｂを握って外方向へ引くならば、両Ｌ型金具７ａ，７ｂの間隔は縮小する。従って、前記図２に示すように、持ち手部６，６を握って棺桶１を支持するならば、Ｌ型金具７，７は棺桶１のコーナー部に所定の押圧力を作用して密着することが出来る。
【００１７】
ここで、中央金具８から折り返されるバンド９ａ，９ａ，９ｂ，９ｂはＬ型金具７ａ，７ｂに設けているスリット溝１１ａ，１１ｂを必ずしも挿通する必要はない。持ち手部６ａ，６ｂがＬ型金具７ａ，７ｂの位置から大きく位置ズレしないように握ることが出来ればよい。一方、実施例ではＬ型金具７ａ，７ｂには各々２本のバンド９ａ，９ａ，９ｂ，９ｂを連結しているが、１本のバンドとすることも可能である。２本のバンド９ａ，９ａ及び９ｂ，９ｂを１組としてＬ型金具７ａ，７ｂに連結することで、持ち手部６ａ，６ｂがリング状と成って握り易い利点がある。
【図面の簡単な説明】
【００１８】
【図１】棺桶の前後に出棺バンドを配置した場合。
【図２】棺桶の前後に配置した出棺バンド。
【図３】本発明にかかる出棺バンドの実施例。
【符号の説明】
【００１９】
１  棺桶
２  出棺バンド
３  容器本体
４  蓋
５  開閉窓
６  持ち手部
７  Ｌ型金具
８  中央金具
９  バンド
10  スリット溝
11  スリット溝
【図１】
2005102907.tif 000003
【図２】
2005102907.tif 000004
【図３】
2005102907.tif 000005